(57)【要約】  本発明は、デジタル基盤通信システムに適用される端末を開示し、前記端末は、無線通信ネットワークにアクセスするように構成されているアクセスモジュールと、前記サーバが前記端末を識別できるように、リクエストメッセージをサーバに送信するように構成されている送信モジュールと、を含み、前記リクエストメッセージは、前記端末の属性情報を搬送する。本発明の実施形態は、前記サーバがサービスアカウント及びパスワードを前記端末に割り当て、前記端末が割り当てられたサービスアカウント及び前記パスワードに従って前記サーバにログインした後にのみ、前記サーバが、前記端末をリモート制御できるという従来技術の問題を解決する、サーバ、及びユーザ識別システム及び方法をさらに提供する。したがって、実装様式は単純である。
2017539132.tif 000002
【特許請求の範囲】
【請求項１】
デジタル基盤通信システムに適用される端末であって、
無線通信ネットワークにアクセスするように構成されたアクセスモジュールと、
サーバが、前記端末が許可条件を満たすかどうかを識別できるように、前記アクセスモジュールが前記無線通信ネットワークにアクセスした後に、リクエストメッセージを前記サーバに送信するように構成された送信モジュールと、
を具備し、
前記リクエストメッセージは、前記端末の属性情報を搬送することを特徴とする端末。
【請求項２】
前記リクエストメッセージが前記端末の属性情報を搬送することは、
前記リクエストメッセージが前記端末のハードウェア属性情報又はソフトウェア属性情報の少なくとも１つを搬送することを具備し、
前記ハードウェア属性情報は、国際移動体加入者識別番号（ＩＭＳＩ）、国際移動体装置識別番号（ＩＭＥＩ）、又はハードウェアシリアル番号のうちの少なくとも１つを具備し、前記ソフトウェア属性情報は、ソフトウェア識別情報又はソフトウェアバージョン情報の少なくとも１つを具備することを特徴とする請求項１記載の端末。
【請求項３】
前記端末は、前記サーバにより送信されたフィードバックメッセージを取得するように構成された取得モジュールをさらに具備し、
前記フィードバックメッセージは、前記サーバによる前記端末の識別の結果を具備することを特徴とする請求項１又は２に記載の端末。
【請求項４】
サーバであって、
端末により送信されたリクエストメッセージを取得するように構成された取得モジュールであって、前記リクエストメッセージは、前記端末の属性情報を搬送する、取得モジュールと、
前記端末の属性情報に従って、前記端末が許可条件を満たすかどうかを識別するように構成された識別モジュールと、
前記識別モジュールが、前記端末が前記許可条件を満たすことを識別する場合、前記端末をリモート制御するように構成されるリモート制御モジュールと、
を具備することを特徴とするサーバ。
【請求項５】
前記リクエストメッセージが前記端末の属性情報を搬送することは、
前記リクエストメッセージが前記端末のハードウェア属性情報又はソフトウェア属性情報の少なくとも１つを搬送することを具備し、
前記ハードウェア属性情報は、ＩＭＳＩ、ＩＭＥＩ、又はハードウェアシリアル番号の内の少なくとも１つを具備し、前記ソフトウェア属性情報は、ソフトウェア識別情報又はソフトウェアバージョン情報の少なくとも１つを具備する
ことを特徴とする請求項４に記載のサーバ。
【請求項６】
前記識別モジュールが前記端末の属性情報に従って、前記端末が前記許可条件を満たすかどうかを識別するように構成されていることは、
受信された前記端末の前記属性情報と、前記サーバに格納された属性情報とを照合することを具備し、
前記照合が成功した場合には、前記端末は前記許可条件を満たし、又は前記照合が成功しない場合には、前記端末は前記許可条件を満たさず、前記端末が前記許可条件を満たすことは、前記端末が、前記サーバにより実施されるリモート制御を受信するための条件を満たすことを意味する
ことを特徴とする請求項４又は５に記載のサーバ。
【請求項７】
前記サーバは、
フィードバックメッセージを前記端末に送信するように構成された送信モジュールをさらに具備し、
前記フィードバックメッセージは、前記サーバによる前記端末の識別の結果を具備することを特徴とする請求項４又は５に記載のサーバ。
【請求項８】
ユーザ識別システムであって、
端末とサーバとを具備し、
前記端末は、請求項１から７のいずれか一項による端末であり、
前記サーバは、請求項１から７のいずれか一項によるサーバである
ことを特徴とするユーザ識別システム。
【請求項９】
ユーザ識別方法であって、
端末により、無線通信ネットワークにアクセスするステップと、
サーバが前記端末を識別できるように、前記端末により、リクエストメッセージを前記サーバに送信するステップと、
を具備し、
前記リクエストメッセージは、前記端末の属性情報を搬送することを特徴とするユーザ識別方法。
【請求項１０】
前記リクエストメッセージが前記端末の属性情報を搬送することは、
前記リクエスト情報が前記端末のハードウェア属性情報又はソフトウェア属性情報の少なくとも１つを搬送することを具備し、
前記ハードウェア属性情報は、ＩＭＳＩ、ＩＭＥＩ、又はハードウェアシリアル番号の内の少なくとも１つを具備し、前記ソフトウェア属性情報は、ソフトウェア識別情報又はソフトウェアバージョン情報の少なくとも１つを具備する
ことを特徴とする請求項９に記載の方法。
【請求項１１】
前記サーバが前記端末を識別できるように、前記端末により、リクエストメッセージをサーバに送信する前記ステップの後に、前記方法は、
前記サーバにより送信されたフィードバックメッセージを取得するステップ
をさらに具備し、
前記フィードバックメッセージは、前記サーバによる前記端末の識別の結果を具備することを特徴とする請求項９に記載の方法。
【請求項１２】
ユーザ識別方法であって、
サーバにより、端末により送信されたリクエストメッセージを取得するステップであって、前記リクエストメッセージは、前記端末の属性情報を搬送する、ステップと、
前記端末の属性情報に従って前記サーバにより、前記端末が許可条件を満たすかどうかを識別するステップと、
前記端末が前記許可条件を満たす場合、前記サーバにより、前記端末をリモート制御するステップと、
を具備することを特徴とするユーザ識別方法。
【請求項１３】
前記リクエストメッセージが前記端末の属性情報を搬送することは、
前記リクエスト情報が前記端末のハードウェア属性情報又はソフトウェア属性情報の少なくとも１つを搬送することを具備し、
前記ハードウェア属性情報は、ＩＭＳＩ、ＩＭＥＩ、又はハードウェアシリアル番号の内の少なくとも１つを具備し、前記ソフトウェア属性情報は、ソフトウェア識別情報又はソフトウェアバージョン情報の少なくとも１つを具備することを特徴とする請求項１２に記載の方法。
【請求項１４】
前記端末の属性情報に従って前記サーバにより、前記端末が許可条件を満たすかどうかを識別する前記ステップは、
受信された前記端末の前記属性情報と、前記サーバに格納された属性情報とを照合するステップを具備し、
前記照合が成功した場合には、前記端末は前記許可条件を満たし、又は前記照合が成功しない場合には、前記端末は前記許可条件を満たさず、前記端末が前記許可条件を満たすことは、前記端末が、前記サーバにより実施されるリモート制御を受信するための条件を満たすことを意味する
ことを特徴とする請求項１２又は１３に記載の方法。
【請求項１５】
前記端末の属性情報に従って前記サーバにより、前記端末が許可条件を満たすかどうかを識別する前記ステップの後に、前記方法は、
フィードバックメッセージを前記端末に送信するステップをさらに具備し、
前記フィードバックメッセージは、前記サーバによる前記端末の識別の結果を具備することを特徴とする請求項１２又は１３に記載の方法。
【発明の詳細な説明】
【技術分野】
【０００１】
本発明は、通信分野に関連し、特に、端末、サーバ、及びユーザ識別システム及び方法に関する。
【背景技術】
【０００２】
デジタル基盤（digital trunked）通信システムは、２０世紀の終わりに現れる新しいタイプの移動通信システムである。公共のモバイル通信ネットワークを使用して提供可能なパーソナル移動通信サービスに加え、デジタル基盤通信システムは、人とグループとの間の任意のタイプの通信を実施することができ、独立して制御及びプログラムすることができ、携帯用無線電話機（walkie-talkie）、グローバル・システム・フォー・モバイル・コミュニケーションズ（Global System for Mobile communications, ＧＳＭ（登録商標））又は符号分割多元接続（Code Division Multiple Access, ＣＤＭＡ）、及び画像伝送などの無線通信システムに統合されたインテリジェント通信ネットワークである。デジタル基盤通信システムは、パーソナル通信のすべての機能を有するだけでなく、人とグループ間の任意のタイプの通信を実施することができる。高度な機密性と豊富な機能により、本物のインテリジェント通信が完全に実装される。
【０００３】
現在、デジタル基盤通信システムにおいて、端末は、登録を最初に完了する必要があり、すなわち、サーバがサービスアカウント及びパスワードを端末に割り当て、端末がサービスアカウント及びパスワードに従ってサーバにログインすることで、サーバが端末をリモート制御できるようにする。リモート制御とは、サーバが、リモート起動（activation）、リモート停止（deactivation）、リモートスタン（stun）などの様式において端末を制御することを意味する。
【０００４】
従来技術では、サーバは、サーバがサービスアカウント及びパスワードを端末に割り当て、端末がサービスアカウント及びパスワードに従ってサーバにログインした後にのみ、端末をリモート制御できる。さらに、サーバは、サービスアカウントを使用することのみにより、端末を識別することができるが、ただ１つの識別様式だけである。
【発明の概要】
【課題を解決するための手段】
【０００５】
本発明の実施形態は、端末が、サーバにより割り当てられたサービスアカウント及びパスワードに従ってサーバにログインした後にのみ、サーバが端末をリモート制御できるという従来技術の問題を解決する端末、サーバ、及びユーザ識別システム及び方法を提供する。
【０００６】
本発明の実施形態の第１の態様は、デジタル基盤通信システムに適用される端末を提供し、前記端末は、
無線通信ネットワークにアクセスするように構成されているアクセスモジュールと、
前記サーバが、前記端末が許可条件を満たすかどうかを識別できるように、前記アクセスモジュールが前記無線通信ネットワークにアクセスした後に、リクエストメッセージをサーバに送信するように構成されている送信モジュールと、を含み、
前記リクエストメッセージは、前記端末の属性情報を搬送する。
【０００７】
第１の態様に関連し、第１の可能な実装様式において、前記リクエストメッセージが前記端末の属性情報を搬送することは、
前記リクエストメッセージが前記端末のハードウェア属性情報又はソフトウェア属性情報の少なくとも１つ搬送することを含み、
前記ハードウェア属性情報は、国際移動体加入者識別番号（ＩＭＳＩ）、国際移動体装置識別番号（ＩＭＥＩ）、又はハードウェアシリアル番号のうちの少なくとも１つを含み、前記ソフトウェア属性情報は、ソフトウェア識別情報又はソフトウェアバージョン情報の少なくとも１つを含む。
【０００８】
第１の態様又は第１の態様の第１の可能な実装様式に関連し、第２の可能な実装様式において、前記端末は、
前記サーバにより送信されたフィードバックメッセージを取得するように構成された取得モジュールをさらに含み、
前記フィードバックメッセージは、前記サーバによる前記端末の識別の結果を含む。
【０００９】
本発明の実施形態の第２の態様は、サーバを提供し、前記サーバは、
端末により送信されたリクエストメッセージを取得するように構成された取得モジュールであって、前記リクエストメッセージは、前記端末の属性情報を搬送する、取得モジュールと、
前記端末の属性情報に従って、前記端末が許可条件を満たすかどうかを識別するように構成された識別モジュールと、
前記識別モジュールが、前記端末が前記許可条件を満たすことを識別した場合に、前記端末をリモート制御するように構成されるリモート制御モジュールと、
を含む。
【００１０】
第２の態様に関連し、第１の可能な実装様式において、前記リクエストメッセージが前記端末の属性情報を搬送することは、
前記リクエストメッセージが、前記端末のハードウェア属性情報又はソフトウェア属性情報の少なくとも１つ搬送することを含み、
前記ハードウェア属性情報は、ＩＭＳＩ、ＩＭＥＩ、又はハードウェアシリアル番号の内の少なくとも１つを含み、前記ソフトウェア属性情報は、ソフトウェア識別情報又はソフトウェアバージョン情報の少なくとも１つを含む。
【００１１】
第２の態様又は第２に態様の第１の可能な実装様式に関連し、第２の可能な実装様式において、前記識別モジュールが、前記端末の属性情報に従って、前記端末が前記許可条件を満たすかどうかを識別するように構成されていることは、
前記受信された前記端末の属性情報と、前記サーバに格納された属性情報とを照合するステップを含み、
前記照合が成功した場合には、前記端末は前記許可条件を満たし、又は前記照合が成功しなかった場合には、前記端末は前記許可条件を満たさず、前記端末が前記許可条件を満たすことは、前記端末が、前記サーバにより実施されるリモート制御を受信するための条件を満たすことを意味する。
【００１２】
第２の態様又は第２の態様の第１の可能な実装様式に関連し、第３の可能な実装様式において、前記サーバは、
フィードバックメッセージを前記端末に送信するように構成された送信モジュールをさらに含み、
前記フィードバックメッセージは、前記サーバによる前記端末の識別の結果を含む。
【００１３】
本発明の実施形態の第３の態様は、ユーザ識別システムを提供し、前記システムは、端末及びサーバを含み、前記端末は、前記第１の態様において説明された前記端末であり、前記サーバは、前記第２の態様において説明された前記サーバである。
【００１４】
本発明の実施形態の第４の態様は、ユーザ識別方法提供し、
端末により、無線通信ネットワークにアクセスするステップと、
前記サーバが前記端末を識別できるように、前記端末により、リクエストメッセージをサーバに送信するステップと、
を含み、
前記リクエストメッセージは、前記端末の属性情報を搬送する。
【００１５】
第４の態様に関連し、第１の可能な実装様式において、前記リクエストメッセージが前記端末の属性情報を搬送することは、
前記リクエスト情報が前記端末のハードウェア属性情報又はソフトウェア属性情報の少なくとも１つを搬送することを含み、
前記ハードウェア属性情報は、ＩＭＳＩ、ＩＭＥＩ、又はハードウェアシリアル番号の内の少なくとも１つを含み、前記ソフトウェア属性情報は、ソフトウェア識別情報又はソフトウェアバージョン情報の少なくとも１つを含む。
【００１６】
第４の態様に関連し、第２の可能な実装様式において、前記サーバが前記端末を識別できるように、前記端末により、リクエストメッセージをサーバに送信するステップの後に、前記方法は、
前記サーバにより送信されたフィードバックメッセージを取得するステップ
をさらに含み、
前記フィードバックメッセージは、前記サーバによる前記端末の識別の結果を含む。
【００１７】
本発明の実施形態の第５の態様は、ユーザ識別方法を提供し、
サーバにより、端末により送信されたリクエストメッセージを取得するステップであって、前記リクエストメッセージは、前記端末の属性情報を搬送する、ステップと、
前記端末の属性情報に従って前記サーバにより、前記端末が許可条件を満たすかどうかを識別するステップと、
前記端末が前記許可条件を満たす場合に、前記サーバにより、前記端末をリモート制御するステップと、
を含む。
【００１８】
第５の態様に関連し、第１の可能な実装様式において、前記リクエストメッセージが前記端末の属性情報を搬送することは、
前記リクエスト情報が、前記端末のハードウェア属性情報又はソフトウェア属性情報の少なくとも１つを搬送することを含み、
前記ハードウェア属性情報は、ＩＭＳＩ、ＩＭＥＩ、又はハードウェアシリアル番号の内の少なくとも１つを含み、前記ソフトウェア属性情報は、ソフトウェア識別情報又はソフトウェアバージョン情報の少なくとも１つを含む。
【００１９】
第５の態様又は第５の態様の第１の可能な実装様式に関連し、第２の可能な実装様式において、前記端末の属性情報に従って前記サーバにより、前記端末が許可条件を満たすかどうかを識別する前記ステップは、
前記受信された前記端末の属性情報と、前記サーバに格納された属性情報とを照合するステップを含み、
前記照合が成功した場合には、前記端末は、前記許可条件を満たし、又は前記照合が成功しなかった場合には、前記端末は、前記許可条件を満たさず、前記端末が前記許可条件を満たすことは、前記端末が、前記サーバにより実施されるリモート制御を受信するための条件を満たすことを意味する。
【００２０】
第５の態様又は第５の態様の第２の可能な実装様式に関連し、第３の可能な実装様式において、前記端末の属性情報に従って前記サーバにより、前記端末が許可条件を満たすかどうかを識別する前記ステップの後に、前記方法は、
フィードバックメッセージを前記端末に送信するステップ
をさらに含み、
前記フィードバックメッセージは、前記サーバによる前記端末の識別の結果を含む。
【００２１】
上述の技術的ソリューションを使用することにより、無線通信ネットワークをアクセスした後、端末は、リクエストメッセージをサーバに送信する。前記リクエストメッセージが前記端末の属性情報を搬送するため、前記サーバは、前記属性情報のみを識別することにより、前記端末をリモート制御可能である。したがって、前記端末は、前記サーバからサービスアカウント及びパスワードを取得する必要なく、実装様式は単純である。
【図面の簡単な説明】
【００２２】
【図１】図１は、本発明の実施形態における端末の実施形態の概略図である。
【図２】図２は、本発明の実施形態における端末の他の実施形態の概略図である。
【図３】図３は、本発明の実施形態におけるサーバの他の実施形態の概略図である。
【図４】図４は、本発明の実施形態におけるサーバの他の実施形態の概略図である。
【図５】図５は、本発明の実施形態における端末及びサーバの概略構造図である。
【図６】図６は、本発明の実施形態におけるユーザ識別方法の実施形態の概略図である。
【図７】図７は、本発明の実施形態におけるユーザ識別方法の別の実施形態の概略図である。
【図８】図８は、本発明の実施形態におけるユーザ識別方法の別の実施形態の概略図である。
【図９】図９は、本発明の実施形態におけるユーザ識別方法の別の実施形態の概略図である。
【発明を実施するための形態】
【００２３】
本発明の実施形態はサーバがサービスアカウント及びパスワードを端末に割り当て、端末が割り当てられたサービスアカウント及びパスワードに従ってサーバにログインした後にのみ、サーバが、端末をリモート制御できるという従来技術の問題を解決する端末、サーバ、及びユーザ識別システム及び方法を提供する。
【００２４】
本発明の実施形態における添付の図面を参照しながら、本発明の実施形態における技術的ソリューションについて以下で明確かつ完全に説明する。説明する実施形態は、本発明の実施形態のすべてではなく、一部にすぎないことは明らかである。創造的な努力なしに本発明の実施形態に基づいて当業者によって得られるすべての他の実施形態は、本発明の保護範囲内に入るものである。
【００２５】
本発明の実施形態の理解を容易にするために、本発明の実施形態が適用されるシステムが最初に説明される。本発明の実施形態における技術的ソリューションは、デジタル基盤（digital trunked）通信システムに適用される。システムは、携帯用無線電話機、ＧＳＭ（登録商標）、ＣＤＭＡ、及び画像伝送に統合されたインテリジェント通信ネットワークであり、サーバ及び端末を具備し得る。１つ又は複数のサーバが存在し得る。例えば、２つのサーバ：プライマリサーバとバックアップサーバであり得る。複数の端末が存在し得る。端末は、携帯電話またはタブレット型コンピュータなどの移動端末であっても、または、パーソナルコンピュータなどの固定端末であってもよい。端末の特定の実装は、本発明の実施形態に限定されない。デジタル基盤通信システムにおけるサーバは、サーバが、端末をリモート制御できるように、サービスアカウント及びパスワードを端末に割り当て、その後、端末が、割り当てられたサービスアカウント及びパスワードに従って、サーバにログインし得る。さらに、サーバは、サービスアカウントのみを使用して端末を識別することができるが、識別方法は１つだけである。
【００２６】
図１を参照すると、図１は、本発明の実施形態における端末１００の実施形態を示している。端末１００は、アクセスモジュール１０１および送信モジュール１０２を含み得る。
【００２７】
アクセスモジュール１０１は、無線通信ネットワークにアクセスするように構成されている。
【００２８】
本発明のこの実施形態において、スイッチオンされた後、端末は、ＧＳＭ（登録商標）、ＣＤＭＡ、広帯域符号分割多重アクセス（WCDMA（登録商標）, Wideband Code Division Multiple Access）システム、ロング・ターム・エボリューション（LTE, Long Term Evolution）システム、又は引き続く進化システムなどの無線通信ネットワークにアクセスする。
【００２９】
送信モジュール１０２は、サーバが端末を識別できるように、アクセスモジュール１０１が無線通信ネットワークにアクセスした後に、リクエストメッセージをサーバに送信するように構成されており、リクエストメッセージは、端末の属性情報を搬送する。
【００３０】
従来技術とは異なり、本発明のこの実施形態における端末により送信されるリクエストメッセージは、端末の属性情報を搬送する。したがって、端末は、サーバから、サービスアカウント及びパスワードを取得する必要が無い。サーバは、サーバが、属性情報を識別し、端末が許可された端末であることを判定した後、端末をリモート制御可能である。
【００３１】
リモート制御は、３つの様式、すなわち、リモート起動、リモート停止、及びリモートスタンを含み得ることに留意すべきである。リモート起動の様式は、リモート起動の方法は、通信を可能にするように端末を特に制御することである。リモート停止の様式は、通信を無効にし、端末の関連するデータを削除するように端末を特に制御することである。リモートスタンの様式は、通信を無効にするのみで、端末の関連するデータを削除しないように端末を特に制御することである。さらに、リモート制御は、他の様式をさらに含む。ここでは特に限定されない。
【００３２】
本発明のこの実施形態において、無線通信ネットワークにアクセスした後、端末は、リクエストメッセージをサーバに送信する。リクエストメッセージが端末の属性情報を搬送するため、サーバは、属性情報のみを識別することにより、端末をリモート制御可能である。したがって、実装様式は単純である。
【００３３】
図２を参照すると、図２は、本発明の実施形態における端末２００の他の実施形態を示している。端末２００は、アクセスモジュール２０１、送信モジュール２０２、及び取得モジュール２０３を含む。
【００３４】
アクセスモジュール２０１は、無線通信ネットワークにアクセスするように構成されている。
【００３５】
本発明のこの実施形態において、スイッチオンされた後、端末は、無線通信ネットワークにアクセスする。例えば、携帯電話ユーザが、携帯電話をスイッチオンした後に、携帯電話は、自動的にモバイルネットワークを検索し、モバイル通信ネットワークにアクセスする。
【００３６】
送信モジュール２０２は、サーバが端末を識別できるように、アクセスモジュール２０１が無線通信ネットワークにアクセスした後に、リクエストメッセージをサーバに送信するように構成されており、リクエストメッセージは、端末の属性情報を搬送する。
【００３７】
従来技術とは異なり、本発明のこの実施形態における端末により送信されるリクエストメッセージは、端末の属性情報を搬送する。したがって、端末は、サーバからサービスアカウント及びパスワードを取得する必要がない。サーバは、サーバが属性情報を識別した後に、端末をリモート制御可能である。
【００３８】
オプションとして、リクエストメッセージが端末の属性情報を搬送することは、
リクエストメッセージが、端末のハードウェア属性情報又はソフトウェア属性情報の少なくとも１つを搬送することを含み、
ハードウェア属性情報は、国際移動体加入者識別番号（ＩＭＳＩ）、国際移動体装置識別番号（ＩＭＥＩ）、又はハードウェアシリアル番号のうちの少なくとも１つを含み、ソフトウェア属性情報は、ソフトウェア識別情報又はソフトウェアバージョン情報の少なくとも１つを含む。
【００３９】
ＩＭＳＩは、加入者識別モジュール（Subscriber Identity Module, SIM）における又は、汎用加入者識別モジュール（Universal Subscriber Identity Module, USIM）におけるＩＭＳＩであってもよいことに留意すべきである。ここでは特に限定されない。
【００４０】
ハードウェア属性情報は、ＩＭＳＩ、ＩＭＥＩ、及びハードウェアシリアル番号に加えて、他の情報をさらに含んでもよいことに留意すべきである。ここでは特に限定されない。
【００４１】
ソフトウェア属性情報は、ソフトウェア識別情報及びソフトウェアバージョン情報のほかに、他の情報がさらに含まれることに留意すべきである。ここでは特に限定されない。
【００４２】
本発明のこの実施形態において、端末の属性情報は、端末の特定の特性を表す。サーバは、属性情報を使用することにより、明確に特定された端末を識別し、特定された端末をリモート制御可能である。したがって、メンテナンス効率が向上する。
【００４３】
取得モジュール２０３は、サーバが端末を識別できるように、送信モジュール２０２がリクエストメッセージをサーバに送信した後、サーバにより送信されたフィードバックメッセージを取得するように構成されており、フィードバックメッセージは、サーバによる端末の識別の結果を含む。
【００４４】
本発明のこの実施形態において、端末は、サーバからフィードバックメッセージをさらに取得し得、すなわち、端末は、サーバからの認証及び検証に合格したかどうかを理解し得る。
【００４５】
本発明のこの実施形態において、無線通信ネットワークにアクセスした後、端末は、リクエストメッセージをサーバに送信し、リクエストメッセージは、端末の属性情報を搬送する。属性情報は、ハードウェア情報であっても、ソフトウェア情報であってもよく、属性情報は、端末の特定の特徴を表す。したがって、サーバは、属性情報に従って特定された端末をリモート制御可能であり、メンテナンス効率が向上する。さらに、サーバは、任意のタイプの属性情報のみを識別することにより、端末をリモート制御可能である。したがって、様々な識別様式があり、実装様式は単純である。
【００４６】
図３を参照すると、図３は、本発明の実施形態におけるサーバ３００の実施形態を示している。サーバ３００は、取得モジュール３０１、識別モジュール３０２、及びリモート制御モジュール３０３を含む。
【００４７】
取得モジュール３０１は、端末により送信されたリクエストメッセージを取得するように構成され、リクエストメッセージは、端末の属性情報を搬送する。
【００４８】
従来技術とは異なり、本発明のこの実施形態において、端末により送信されるとともに、サーバにより取得される、リクエストメッセージは、端末の属性情報を搬送する。サーバから、サービスアカウント及びパスワードを取得する必要はない。サーバは、サーバが属性情報を識別し、端末が許可端末であると判定した後に、端末をリモート制御可能である。
【００４９】
識別モジュール３０２は、取得モジュール３０１が端末の属性情報を取得した後、端末の属性情報に従って、端末が許可条件を満たすかどうかを識別するように構成されている。
【００５０】
リモート制御モジュール３０３は、識別モジュール３０２が、端末が許可条件を満たすことを識別した場合に、端末をリモート制御するように構成されており。
【００５１】
本発明のこの実施形態において、許可条件が満たされているかどうかは、サーバが、端末により送信された属性情報を識別できるかどうかを特に意味する。サーバが、端末により送信された属性情報を識別できるならば、端末は許可条件を満たす。サーバが、端末により送信された属性情報を識別できないならば、端末は、許可条件を満たさず、リモート制御することもできない。
【００５２】
本発明のこの実施形態において、サーバは、端末により送信されたリクエストメッセージし、リクエストメッセージは、端末の属性情報を搬送し、属性情報は、端末の特定の特徴を表す。したがって、端末は、サービスアカウント及びパスワードを取得する必要が無い。サーバは、端末の属性情報に従って、端末が許可条件を満たすかどうかを識別するだけでよい。端末が、許可条件を満たすならば、サーバは、端末をリモート制御可能であり、実装様式は単純である。
【００５３】
図４を参照すると、図４は、本発明の実施形態におけるサーバ４００の他の実施形態を示している。サーバ４００は、取得モジュール４０１、識別モジュール４０２、送信モジュール４０３、及びリモート制御モジュール４０４を含む。
【００５４】
取得モジュール４０１は、端末により送信されたリクエストメッセージを取得するように構成され、リクエストメッセージは、端末の属性情報を搬送する。
【００５５】
従来技術とは異なり、本発明のこの実施形態において、端末により送信されるとともに、サーバにより取得されたリクエストメッセージは、端末の属性情報を搬送する。サーバから、サービスアカウント及びパスワードを取得する必要はない。サーバは、サーバが属性情報を識別し、端末が許可端末であると判定した後、端末をリモート制御可能である。
【００５６】
オプションとして、リクエストメッセージが、端末の属性情報を搬送することは、
リクエストメッセージが、端末のハードウェア属性情報又はソフトウェア属性情報の少なくとも１つを搬送することを含み、
ハードウェア属性情報は、ＩＭＳＩ、ＩＭＥＩ、又はハードウェアシリアル番号の内の少なくとも１つを含み、ソフトウェア属性情報は、ソフトウェア識別情報又はソフトウェアバージョン情報の少なくとも１つを含む。
【００５７】
ＩＭＳＩは、ＳＩＭ又はＵＳＩＭのＩＭＳＩであり得ることに留意すべきである。ここでは特に限定されない。
【００５８】
ハードウェア属性情報は、ＩＭＳＩ、ＩＭＥＩ、及びハードウェアシリアル番号に加え、他の情報をさらに含み得ることに留意すべきである。ここでは特に限定されない。
【００５９】
ソフトウェア属性情報は、ソフトウェア識別情報及びソフトウェアバージョン情報に加え他の情報をさらに含み得ることに留意すべきである。ここでは特に限定されない。
【００６０】
本発明のこの実施形態において、属性情報は、端末の特定の特徴を表す。サーバは、属性情報を使用することにより、明確に特定された端末を識別し、特定された端末をリモート制御可能である。したがって、メンテナンス効率が向上する。
【００６１】
識別モジュール４０２は、取得モジュール４０１が端末の属性情報を取得した後、端末の属性情報に従って、端末が許可条件を満たすかどうかを識別するように構成されている。
【００６２】
本発明のこの実施形態において、許可条件が満たされているかどうかは、サーバが、端末により送信された属性情報を識別できるかどうかを特に意味する。サーバが、端末により送信された属性情報を識別できるならば、端末は許可条件を満たす。サーバが、端末により送信された属性情報を識別できないならば、端末は、許可条件を満たさず、リモート制御することもできない。
【００６３】
オプションとして、識別モジュール４０２が、端末の属性情報に従って、端末が許可条件を満たすかどうかを識別するように構成されていることは、
受信された端末の属性情報と、サーバに格納された属性情報とを照合するステップを含み、
照合が成功した場合には、端末は、許可条件を満たし、又は照合が成功しなかった場合には、端末は、許可条件を満たさず、端末が許可条件を満たすことは、端末が、サーバにより実施されるリモート制御を受信するための条件を満たすことを意味する。
【００６４】
送信モジュール４０３は、識別モジュール４０２が、端末が許可モジュールを満たすかどうかを識別した後に、フィードバックメッセージを端末に送信するように構成され、フィードバックメッセージは、サーバによる端末の識別の結果を含む。
【００６５】
リモート制御モジュール４０４は、識別モジュール４０２が、端末が許可条件を満たすことを識別した場合に、端末をリモート制御するように構成されている。
【００６６】
本発明のこの実施形態において、サーバは、フィードバックメッセージを端末に送信し、すなわち、端末が認証及び検証を合格したかどうか。
【００６７】
本発明のこの実施形態において、サーバは、端末により送信されたリクエストメッセージを取得し、リクエストメッセージは、端末の属性情報を搬送し、属性情報は、端末の特定の特徴を表す。したがって、サーバは、サービスアカウント及びパスワードを取得する必要はない。サーバは、端末が許可条件を満たすかどうかを識別するだけでよい。属性情報は、ハードウェア属性情報であっても、ソフトウェア属性情報であってもよい。サーバは、任意のタイプの属性情報のみを識別することにより、端末をリモート制御可能である。したがって、様々な識別様式があり、実装様式は単純である。
【００６８】
本発明の実施形態は、ユーザ識別システムをさらに提供し、端末及びサーバを含む。
【００６９】
サーバ及び端末の説明のために、図１から図４の実施形態を参照する。詳細はここでは再び説明しない。
【００７０】
図１から図４に示されている実施形態において、端末及びサーバの具体的な構成を機能モジュールの観点から説明する。以下では、図５における実施形態を参照して、ハードウェアの観点から端末及びサーバの具体的な構造について説明する。
【００７１】
本発明のこの実施形態に関係する端末及びサーバは、２つ以上の構成要素を組み合わせても、又は異なる構成要素若しくは設定を有してもよい。各構成要素は、１つ又は複数の信号処理及び／又は特定用途向け集積回路を含むハードウェアにおいて、又はソフトウェアにおいて、又はハードウェアとソフトウェアの組み合わせで実施され得る。
【００７２】
送信器５０１は、以下の動作を実行するように構成されている：
サーバが、端末を識別できるように、リクエストメッセージをサーバに送信することであって、リクエストメッセージは、端末の属性情報を搬送する。
【００７３】
受信器５０２は、以下の動作を実行するように構成されている：
端末により送信されたリクエストメッセージを取得すること。
【００７４】
プロセッサ５０３は、以下の動作を実行するように構成されている：
端末の属性情報に従って、端末が許可条件を満たすかどうかを識別することと、
端末が許可条件を満たす場合に、サーバにより、端末をリモート制御すること。
【００７５】
本発明の実施形態において、前述の関連装置をよりよく実施するために、以下では、前述の装置と協働するために使用される関連する方法をさらに提供する。
【００７６】
図６を参照すると、図６は、本発明の実施形態におけるユーザ識別方法の実施形態を示している。方法は、以下のステップを含む。
【００７７】
６０１：端末が無線通信ネットワークにアクセスする。
【００７８】
本発明のこの実施形態において、スイッチオンされた後、端末は、ＧＳＭ（登録商標）、ＣＤＭＡ、ＷＣＤＭＡ（登録商標）システム、ＬＴＥシステム、又は、引き続く進化システムなどの無線通信ネットワークにアクセスする。一般に、例えば、ユーザが携帯電話をスイッチオンした後に、携帯電話は、自動的に無線通信ネットワークを検索し、アクセスする。
【００７９】
６０２：サーバが端末を識別できるように、端末は、リクエストメッセージをサーバに送信する。
【００８０】
従来技術とは異なり、本発明のこの実施形態において、端末により送信されたリクエストメッセージは、端末の属性情報を搬送する。サーバから、サービスアカウント及びパスワードを取得する必要はない。サーバは、サーバが属性情報を識別し、端末が許可端末であることを判定した後に、端末をリモート制御可能である。
【００８１】
リモート制御は、３つの様式、すなわち、リモート起動、リモート停止、及びリモートスタンを含み得ることに留意すべきである。リモート起動は、通信を可能にするように端末を特に制御することである。リモート停止は、通信を無効にし、端末の関連するデータを削除するように端末を特に制御することである。リモートスタンは、通信を無効にするのみで、端末の関連するデータを削除しないように端末を特に制御することである。さらに、リモート制御は、他の様式をさらに含む。ここでは特に限定されない。
【００８２】
本発明のこの実施形態において、無線通信ネットワークにアクセスした後、端末は、リクエストメッセージをサーバに送信する。リクエストメッセージが端末の属性情報を搬送するため、サーバは、属性情報のみを識別することにより、端末をリモート制御可能である。したがって、実装様式は単純である。
【００８３】
図７を参照すると、図７は、本発明の実施形態におけるユーザ識別方法の別の実施形態を示している。方法は以下のステップを含む。
【００８４】
７０１：端末が、無線通信ネットワークにアクセスする。
【００８５】
本発明のこの実施形態において、スイッチオンされた後、端末は、無線通信ネットワークにアクセスする。一般に、例えば、ユーザが携帯電話をスイッチオンした後に、携帯電話は、自動的に無線通信ネットワークを検索し、アクセスする。
【００８６】
７０２：サーバが端末を識別できるように、端末は、リクエストメッセージをサーバに送信する。
【００８７】
従来技術とは異なり、本発明のこの実施形態において、端末により送信されたリクエストメッセージは、端末の属性情報を搬送する。サーバから、サービスアカウント及びパスワードを取得する必要はない。サーバは、サーバが属性情報を識別し、端末が許可端末であることを判定した後に、端末をリモート制御可能である。
【００８８】
オプションとして、リクエストメッセージが、端末の属性情報を搬送することは、
リクエストメッセージが、端末のハードウェア属性情報又はソフトウェア属性情報の少なくとも１つを搬送することを含み、
ハードウェア属性情報は、ＩＭＳＩ、ＩＭＥＩ、又はハードウェアシリアル番号の内の少なくとも１つを含み、ソフトウェア属性情報は、ソフトウェア識別情報又はソフトウェアバージョン情報の少なくとも１つを含む。
【００８９】
ＩＭＳＩは、ＳＩＭ又はＵＳＩＭのＩＭＳＩであり得ることに留意すべきである。ここでは特に限定されない。
【００９０】
ハードウェア属性情報は、ＩＭＳＩ、ＩＭＥＩ、及びハードウェアシリアル番号に加え、他の情報をさらに含み得ることに留意すべきである。ここでは特に限定されない。
【００９１】
ソフトウェア属性情報は、ソフトウェア識別情報及びソフトウェアバージョン情報に加え他の情報をさらに含み得ることに留意すべきである。ここでは特に限定されない。
【００９２】
７０３：端末は、サーバにより送信されたフィードバックメッセージを取得する。
【００９３】
本発明のこの実施形態において、端末は、サーバからフィードバックメッセージをさらに取得する。フィードバックメッセージは、サーバによる端末の識別の結果を含み、すなわち、端末が、認証及び検証に合格したかどうか。
【００９４】
本発明のこの実施形態において、無線通信ネットワークにアクセスした後、端末は、リクエストメッセージをサーバに送信し、リクエストメッセージは、端末の属性情報を搬送する。属性情報は、ハードウェア情報であっても、ソフトウェア情報であってもよく、属性情報は、端末の特定の特徴を表す。したがって、サーバは、属性情報に従って特定された端末をリモート制御可能であり、メンテナンス効率が向上する。さらに、サーバは、任意のタイプの属性情報のみを識別することにより、端末をリモート制御可能である。したがって、様々な識別様式があり、実装様式は単純である。
【００９５】
図８を参照すると、図８は、本発明の実施形態におけるユーザ識別方法の別の実施形態を示している。方法は、以下のステップを含む。
【００９６】
８０１：サーバが、端末により送信されたリクエストメッセージを取得する。
【００９７】
従来技術とは異なり、本発明のこの実施形態において、端末により送信されるとともに、サーバにより取得される、リクエストメッセージは、端末の属性情報を搬送する。サーバから、サービスアカウント及びパスワードを取得する必要はない。サーバは、サーバが属性情報を識別し、端末が許可端末であると判定した後に、端末をリモート制御可能である。
【００９８】
８０２：サーバは、端末の属性情報に従って、端末が許可条件を満たすかどうかを識別し、端末が許可条件を満たすならば、ステップ８０３を実行する。
【００９９】
８０３：サーバは、端末が許可条件を満たす場合に、端末をリモート制御する。
【０１００】
本発明のこの実施形態において、許可条件が満たされているかどうかは、サーバが、端末により送信された属性情報を識別できるかどうかを特に意味する。サーバが、端末により送信された属性情報を識別できるならば、端末は許可条件を満たす。サーバが、端末により送信された属性情報を識別できないならば、端末は、許可条件を満たさず、リモート制御することもできない。
【０１０１】
本発明のこの実施形態において、サーバは、端末により送信されたリクエストメッセージし、リクエストメッセージは、端末の属性情報を搬送し、属性情報は、端末の特定の特徴を表す。したがって、端末は、サービスアカウント及びパスワードを取得する必要が無い。サーバは、端末の属性情報に従って、端末が許可条件を満たすかどうかを識別するだけでよい。端末が、許可条件を満たすならば、サーバは、端末をリモート制御可能であり、実装様式は単純である。
【０１０２】
図９を参照すると、図９は、本発明の実施形態におけるユーザ識別方法の別の実施形態を示している。方法は、以下のステップを含む。
【０１０３】
９０１：サーバが、端末により送信されたリクエストメッセージを取得する。
【０１０４】
従来技術とは異なり、本発明においてサーバにより取得された端末のリクエストメッセージは、端末の属性情報を搬送する。したがって、端末は、サーバからサービスアカウント及びパスワードを取得する必要がない。サーバは、サーバが属性情報を識別し、端末が許可端末であると判定した後に、端末をリモート制御可能である。
【０１０５】
オプションとして、リクエストメッセージが、端末の属性情報を搬送することは、
リクエストメッセージが、端末のハードウェア属性情報又はソフトウェア属性情報の少なくとも１つを搬送することを含み、
ハードウェア属性情報は、ＩＭＳＩ、ＩＭＥＩ、又はハードウェアシリアル番号の内の少なくとも１つを含み、ソフトウェア属性情報は、ソフトウェア識別情報又はソフトウェアバージョン情報の少なくとも１つを含む。
【０１０６】
ＩＭＳＩは、ＳＩＭ又はＵＳＩＭのＩＭＳＩであり得ることに留意すべきである。ここでは特に限定されない。
【０１０７】
ハードウェア属性情報は、ＩＭＳＩ、ＩＭＥＩ、及びハードウェアシリアル番号に加え、他の情報をさらに含み得ることに留意すべきである。ここでは特に限定されない。
【０１０８】
ソフトウェア属性情報は、ソフトウェア識別情報及びソフトウェアバージョン情報に加え他の情報をさらに含み得ることに留意すべきである。ここでは特に限定されない。
【０１０９】
９０２：サーバは、端末の属性情報に従って、端末が許可条件を満たすかどうかを識別し、端末が許可条件を満たすならば、ステップ９０４を実行する。
【０１１０】
本発明のこの実施形態において、許可条件が満たされているかどうかは、サーバが、端末により送信された属性情報を識別できるかどうかを特に意味する。サーバが、端末により送信された属性情報を識別できるならば、端末は許可条件を満たす。サーバが、端末により送信された属性情報を識別できないならば、端末は、許可条件を満たさず、リモート制御することもできない。
【０１１１】
オプションとして、サーバが、端末の属性情報に従って、端末が許可条件を満たすかどうかを識別することは、
受信された端末の属性情報と、サーバに格納された属性情報とを照合するステップを含み、
照合が成功した場合には、端末は、許可条件を満たし、又は照合が成功しなかった場合には、端末は、許可条件を満たさず、端末が許可条件を満たすことは、端末が、サーバにより実施されるリモート制御を受信するための条件を満たすことを意味する。
【０１１２】
９０３：サーバは、フィードバックメッセージを端末に送信する。
【０１１３】
９０４：サーバは、端末が、許可条件を満たす場合に、端末をリモート制御する。
【０１１４】
本発明のこの実施形態において、サーバは、フィードバックメッセージを端末に送信する。フィードバックメッセージは、サーバによる端末の識別の結果を含み、すなわち、端末は、サーバからの認証及び検証に合格したかどうかを理解し得る。
【０１１５】
本発明のこの実施形態において、サーバは、端末により送信されたリクエストメッセージし、リクエストメッセージは、端末の属性情報を搬送し、属性情報は、端末の特定の特徴を表す。したがって、端末は、サービスアカウント及びパスワードを取得する必要が無い。サーバは、端末の属性情報に従って、端末が許可条件を満たすかどうかを識別するだけでよい。属性情報は、ハードウェア属性情報であっても、ソフトウェア属性情報であってもよい。サーバは、任意のタイプの属性情報のみを識別することにより、端末をリモート制御可能である。したがって、様々な識別様式があり、実装様式は単純である。
【０１１６】
上述した実施形態において、各実施形態の説明はそれぞれに重点を置いている。実施形態において詳細に説明されていない部分については、他の実施形態における関連説明を参照し得る。
【０１１７】
当業者であれば、簡潔かつ簡単な説明のために、前述のシステム、装置、及びユニットの詳細な動作処理のために、前述の方法の実施形態における対応する処理を参照し得ることは理解でき、詳細はここでは説明しない。
【０１１８】
この明細書において提供されるいくつかの実施形態において、開示されたシステム、装置、及び方法は、他の様式において実装され得ることは理解し得る。例えば、説明された装置の実施形態は、単なる一例にすぎない。例えば、ユニット区分は、単なる論理的な機能区分であり、実際の実装において別の区分であってもよい。例えば、複数のユニットまたは構成要素を組み合わせて、又は別のシステムに統合してもよく、又は一部の機能は、無視して、又は実行しなくてもよい。さらに、表示された、又は議論された相互結合若しくは直接結合、又は通信接続は、いくつかのインターフェースを使用して実装され得る。装置又はユニット間の間接結合又は通信接続は、電子的、機械的、又は他の形式において実装されてもよい。
【０１１９】
別個の部品として説明されたユニットは、物理的に分離していてもいなくてもよく、ユニットとして表示された部品は物理的ユニットであってもなくてもよく、１カ所に配置されても、又はネットワークユニット上に分散されてもよい。ユニットの一部又は全部は、実施形態のソリューションの目的を達成するために実際の必要に応じて選択されてよい。
【０１２０】
また、本発明の実施形態における機能ユニットは、１つの処理ユニットに統合されてもよいし、又は各ユニットが物理的に単独で存在してもよいし、又は２つ以上のユニットが１つのユニットに統合されてもよい。統合されたユニットは、ハードウェアの形式で実装されてもよく、又はソフトウェア機能ユニットの形式において実装されてもよい。
【０１２１】
統合されたユニットがソフトウェア機能ユニットの形式において実装されるとともに独立した製品として販売又は使用される場合には、統合ユニットは、コンピュータ可読記憶媒体に格納され得る。そのような理解に基づいて、本質的に本発明の技術的ソリューション、又は従来技術に寄与する部分、又は技術的ソリューションの全部又はいくつかは、ソフトウェア製品の形式において実装され得る。ソフトウェア製品は、記憶媒体に格納され、コンピュータデバイス（パーソナルコンピュータ、サーバ、又はネットワークデバイスであり得る）に本発明の実施形態において説明された方法のステップの全部又はいくつかを実行するように指示するためのいくつかの命令を含む。前述の記憶媒体は、ＵＳＢフラッシュドライブ、リムーバブルハードディスク、読み取り専用メモリ（ROM, Read-Only Memory）、ランダムアクセスメモリ（RAM, Random Access Memory）、磁気ディスク、又は光ディスクなどのプログラムコードを格納可能な任意の媒体を含む。
【０１２２】
以上は、本発明において提供される端末、サービス、及びユーザ識別システム及び方法を詳細に説明するものである。本発明の原理及び実装様式を説明するために、本明細書において特定の例が使用された。前述の実施形態は、単に本発明の方法及び思想を理解するのを助けることを意図する。さらに、実装様式及び適用範囲に関連し、本発明の思想に従って当業者により変更がなされ得る。したがって、本明細書は、本発明を限定するものと解釈されるべきではない。
【符号の説明】
【０１２３】
１００  端末
１０１  アクセスモジュール
１０２  送信モジュール
２００  端末
２０１  アクセスモジュール
２０２  送信モジュール
２０３  取得モジュール
３００  サーバ
３０１  取得モジュール
３０２  識別モジュール
３０３  リモート制御モジュール
４００  サーバ
４０１  取得モジュール
４０２  識別モジュール
４０３  送信モジュール
４０４  リモート制御モジュール
５０１  送信器
５０２  受信器
５０３  プロセッサ
【図１】
2017539132.tif 000003
【図２】
2017539132.tif 000004
【図３】
2017539132.tif 000005
【図４】
2017539132.tif 000006
【図５】
2017539132.tif 000007
【図６】
2017539132.tif 000008
【図７】
2017539132.tif 000009
【図８】
2017539132.tif 000010
【図９】
2017539132.tif 000011
【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
デジタル基盤通信システムに適用される端末であって、
無線通信ネットワークにアクセスするように構成されたアクセスモジュールと、
前記アクセスモジュールが前記無線通信ネットワークにアクセスした後に、リクエストメッセージをサーバに送信するように構成された送信モジュールと、
を具備し、
前記リクエストメッセージは、前記端末の属性情報を具備し、前記リクエストメッセージは、前記サーバが、前記端末が許可条件を満たすかどうかを識別するために使用されることを特徴とする端末。
【請求項２】
前記リクエストメッセージが前記端末のハードウェア属性情報又はソフトウェア属性情報の少なくとも１つを具備し、
前記ハードウェア属性情報は、国際移動体加入者識別番号（ＩＭＳＩ）、国際移動体装置識別番号（ＩＭＥＩ）、又はハードウェアシリアル番号のうちの少なくとも１つを具備し、前記ソフトウェア属性情報は、ソフトウェア識別情報又はソフトウェアバージョン情報の少なくとも１つを具備することを特徴とする請求項１記載の端末。
【請求項３】
前記端末は、前記サーバにより送信されたフィードバックメッセージを取得するように構成された取得モジュールをさらに具備し、
前記フィードバックメッセージは、前記サーバによる前記端末の識別の結果を具備することを特徴とする請求項１又は２に記載の端末。
【請求項４】
サーバであって、
端末からのリクエストメッセージを取得するように構成された取得モジュールであって、前記リクエストメッセージは、前記端末の属性情報を具備する、取得モジュールと、
前記端末の属性情報に従って、前記端末が許可条件を満たすかどうかを識別するように構成された識別モジュールと、
前記識別モジュールが、前記端末が前記許可条件を満たすことを識別する場合、前記端末をリモート制御するように構成されるリモート制御モジュールと、
を具備することを特徴とするサーバ。
【請求項５】
前記リクエストメッセージが前記端末のハードウェア属性情報又はソフトウェア属性情報の少なくとも１つを具備し、
前記ハードウェア属性情報は、国際移動体加入者識別番号（ＩＭＳＩ）、国際移動体装置識別番号（ＩＭＥＩ）、又はハードウェアシリアル番号の内の少なくとも１つを具備し、前記ソフトウェア属性情報は、ソフトウェア識別情報又はソフトウェアバージョン情報の少なくとも１つを具備する
ことを特徴とする請求項４に記載のサーバ。
【請求項６】
前記識別モジュールは、受信された前記端末の前記属性情報と、前記サーバに格納された属性情報とを照合するように特に構成され、
前記照合が成功した場合には、前記端末は前記許可条件を満たし、又は前記照合が成功しない場合には、前記端末は前記許可条件を満たさず、前記端末が前記許可条件を満たすことは、前記端末が、前記サーバにより実施されるリモート制御を受信するための条件を満たすことを意味する
ことを特徴とする請求項４又は５に記載のサーバ。
【請求項７】
前記サーバは、
フィードバックメッセージを前記端末に送信するように構成された送信モジュールをさらに具備し、
前記フィードバックメッセージは、前記サーバによる前記端末の識別の結果を具備することを特徴とする請求項４又は５に記載のサーバ。
【請求項８】
ユーザ識別システムであって、
端末とサーバとを具備し、
前記端末は、請求項１から３のいずれか一項による端末であり、
前記サーバは、請求項４から７のいずれか一項によるサーバである
ことを特徴とするユーザ識別システム。
【請求項９】
ユーザ識別方法であって、
端末により、無線通信ネットワークにアクセスするステップと、
前記端末により、リクエストメッセージをサーバに送信するステップと、
を具備し、
前記リクエストメッセージは、前記端末の属性情報を具備し、前記リクエストメッセージは、前記サーバが、前記端末が許可条件を満たすかどうかを識別するために使用されることを特徴とするユーザ識別方法。
【請求項１０】
前記リクエストメッセージは、前記端末のハードウェア属性情報又はソフトウェア属性情報の少なくとも１つを具備し、
前記ハードウェア属性情報は、国際移動体加入者識別番号（ＩＭＳＩ）、国際移動体装置識別番号（ＩＭＥＩ）、又はハードウェアシリアル番号の内の少なくとも１つを具備し、前記ソフトウェア属性情報は、ソフトウェア識別情報又はソフトウェアバージョン情報の少なくとも１つを具備する
ことを特徴とする請求項９に記載の方法。
【請求項１１】
前記サーバが前記端末を識別できるように、前記端末により、リクエストメッセージをサーバに送信する前記ステップの後に、前記方法は、
前記サーバにより送信されたフィードバックメッセージを取得するステップ
をさらに具備し、
前記フィードバックメッセージは、前記サーバによる前記端末の識別の結果を具備することを特徴とする請求項９に記載の方法。
【請求項１２】
ユーザ識別方法であって、
サーバにより、端末からのリクエストメッセージを取得するステップであって、前記リクエストメッセージは、前記端末の属性情報を具備する、ステップと、
前記端末の属性情報に従って前記サーバにより、前記端末が許可条件を満たすかどうかを識別するステップと、
前記端末が前記許可条件を満たす場合、前記サーバにより、前記端末をリモート制御するステップと、
を具備することを特徴とするユーザ識別方法。
【請求項１３】
前記リクエストメッセージは、前記端末のハードウェア属性情報又はソフトウェア属性情報の少なくとも１つを具備し、
前記ハードウェア属性情報は、国際移動体加入者識別番号（ＩＭＳＩ）、国際移動体装置識別番号（ＩＭＥＩ）、又はハードウェアシリアル番号の内の少なくとも１つを具備し、前記ソフトウェア属性情報は、ソフトウェア識別情報又はソフトウェアバージョン情報の少なくとも１つを具備することを特徴とする請求項１２に記載の方法。
【請求項１４】
前記端末の属性情報に従って前記サーバにより、前記端末が許可条件を満たすかどうかを識別する前記ステップは、
受信された前記端末の前記属性情報と、前記サーバに格納された属性情報とを照合するステップを具備し、
前記照合が成功した場合には、前記端末は前記許可条件を満たし、又は前記照合が成功しない場合には、前記端末は前記許可条件を満たさず、前記端末が前記許可条件を満たすことは、前記端末が、前記サーバにより実施されるリモート制御を受信するための条件を満たすことを意味する
ことを特徴とする請求項１２又は１３に記載の方法。
【請求項１５】
前記端末の属性情報に従って前記サーバにより、前記端末が許可条件を満たすかどうかを識別する前記ステップの後に、前記方法は、
フィードバックメッセージを前記端末に送信するステップをさらに具備し、
前記フィードバックメッセージは、前記サーバによる前記端末の識別の結果を具備することを特徴とする請求項１２又は１３に記載の方法。
【手続補正２】
【補正対象書類名】明細書
【補正対象項目名】００６４
【補正方法】変更
【補正の内容】
【００６４】
送信モジュール４０３は、識別モジュール４０２が、端末が許可条件を満たすかどうかを識別した後に、フィードバックメッセージを端末に送信するように構成され、フィードバックメッセージは、サーバによる端末の識別の結果を含む。
【手続補正３】
【補正対象書類名】明細書
【補正対象項目名】００６６
【補正方法】変更
【補正の内容】
【００６６】
本発明のこの実施形態において、サーバは、フィードバックメッセージを端末に送信し、すなわち、認証及び検証を合格したかどうかを端末が知り得る。
【手続補正４】
【補正対象書類名】明細書
【補正対象項目名】００９３
【補正方法】変更
【補正の内容】
【００９３】
本発明のこの実施形態において、端末は、サーバからフィードバックメッセージをさらに取得する。フィードバックメッセージは、サーバによる端末の識別の結果を含み、すなわち、認証及び検証に合格したかどうかを端末が知り得る。
【国際調査報告】
2017539132.tif 000012
2017539132.tif 000013
2017539132.tif 000014
2017539132.tif 000015